(57)【要約】【課題】胸元を隠すことができ、肩紐のない（又は肩紐を取り外した状態にある）下着に装着することが可能な係止具付き前当布、及び胸元を隠すことができる前当布付き女性用被服を提供する。【解決手段】女性用被服２０の左右の乳房受けカップ部２１，２２を覆う布片１１の上端部の左右それぞれに、女性用被服２０に着脱可能に係止される係止具１２，１３を取り付けて係止具付き前当布を構成する。係止具１２，１３は、女性用被服２０のカップ部２１，２２の上縁部に設けられた係止具受け部２３，２４に係止される構成とされており、係止具１２，１３を係止具受け部２３，２４に係止して女性用被服２０に装着することで、女性用被服２０のカップ部２１，２２及びその周辺の胸元を布片１１で覆うことができる。また、女性用被服の左右の乳房受けカップ部の上端縁に、カップ部を覆う前当布の上端部を取り付けて前当布付き女性用被服を構成する。【選択図】図２
2008156783.tif 000002
【特許請求の範囲】
【請求項１】
左右の乳房受けカップ部を有する女性用被服に着脱可能に係止される係止具と、前記カップ部を覆う布片とを備える係止具付き前当布であって、
前記係止具は、前記布片の上端部の左右にそれぞれ取り付けられていることを特徴とする係止具付き前当布。
【請求項２】
前記係止具は前記カップ部の上端縁に設けられた係止具受け部に係止されることを特徴とする請求項１に記載の係止具付き前当布。
【請求項３】
前記係止具は前記カップ部の上端縁に先端が取り付けられた肩紐に係止されることを特徴とする請求項１又は請求項２に記載の係止具付き前当布。
【請求項４】
左右の乳房受けカップ部を有する女性用被服に前記カップ部を覆う前当布が取り付けられた前当布付き女性用被服であって、
前記前当布の上端部が前記カップ部の上端縁に取り付けられていることを特徴とする前当布付き女性用被服。
【発明の詳細な説明】
【技術分野】
【０００１】
本発明は、左右の乳房受けカップ部を有する（例えばビスチェやボディースーツあるいはブラジャー等）女性用被服に装着される係止具付き前当布、及び左右の乳房受けカップ部を有する女性用被服に前当布が取り付けられた前当付き女性用被服に関するものである。
【背景技術】
【０００２】
従来、スーツ等の胸元が大きく開いた被服を着用するとき、女性は胸元を隠すために下着とスーツとの間にブラウスやキャミソール等のいわゆるインナーシャツを着用するのが一般的であるが、最近の傾向として、このようなブラウスやインナーシャツを着用しなくても胸元を隠すことのできる簡易な被服が求められるようになってきている。
【０００３】
例えば、特許文献１に、左右の乳房受けカップ部を有する女性用被服（例えばブラジャー等）の左右の肩紐に、カップ部を覆う布片が取り付けられた肩紐付き前当布が提案されている。
【０００４】
この特許文献１に記載の肩紐付き前当布によれば、ブラウスやインナーシャツを着用することなく胸元を隠すことができる。
【特許文献１】特開２０００−１７５０２号公報
【発明の開示】
【発明が解決しようとする課題】
【０００５】
ところで、近年、ブラジャー等の下着では、肩紐は取り外し可能な状態で取り付けされていることが多く、例えばノースリーブ等の肩を露出させるデザインの被服の下に着用する場合には被服からはみ出さないよう肩紐は取り外されることが多い。
【０００６】
しかしながら、特許文献１に記載の肩紐付き前当布は、下着の左右の肩紐に胸元を隠すための（カップ部を覆う）布片を取り付けたものであり、肩紐のない下着に布片を取り付けることはできなかった。つまり、胸元を隠すには肩紐のある下着を着用する必要があった。
【０００７】
本発明はこのような状況に鑑みてなされたものであって、ブラウスやインナーシャツを着用することなく胸元を隠すことができ、肩紐のない下着に装着することが可能な係止具付き前当布を提供することを目的とする。
【０００８】
また、本発明は、ブラウスやインナーシャツを着用することなく胸元を隠すことができる前当布付き女性用被服を提供することを他の目的とする。
【課題を解決するための手段】
【０００９】
本発明に係る係止具付き前当布は、左右の乳房受けカップ部を有する女性用被服に着脱可能に係止される係止具と、前記カップ部を覆う布片とを備える係止具付き前当布であって、前記係止具は、前記布片の上端部の左右にそれぞれ取り付けられていることを特徴とする。
【００１０】
この構成により、布片の上端部の左右にそれぞれ取り付けられている係止具を女性用被服の左右のカップ部の上方部にそれぞれ係止して左右のカップ部及びその周辺の胸元を布片で覆うことができる。つまり、ブラウスやキャミソールを着用することなく胸元を隠すことができる。
【００１１】
また、本発明に係る係止具付き前当布では、前記係止具は前記カップ部の上端縁に設けられた係止具受け部に係止されることを特徴とする。
【００１２】
この構成により、肩紐のない（又は肩紐を取り外した状態にある）女性用被服に装着することが可能な係止具付き前当布とすることができる。
【００１３】
また、本発明に係る係止具付き前当布では、前記係止具は前記カップ部の上端縁に先端が取り付けられた肩紐に係止されることを特徴とする。
【００１４】
この構成により、肩紐のある女性用被服に装着することが可能な係止具付き前当布とすることができる。
【００１５】
また、本発明に係る前当布付き女性用被服は、左右の乳房受けカップ部を有する女性用被服に前記カップ部を覆う前当布が取り付けられた前当布付き女性用被服であって、前記前当布の上端部が前記カップ部の上端縁に取り付けられていることを特徴とする。
【００１６】
この構成により、左右のカップ部及びその周辺の胸元を前当布で覆うことができるから、ブラウスやキャミソールを着用することなく胸元を隠すことができる。また、前当布の上端部がカップ部の上端縁に取り付けられているから、肩紐のない前当布付き女性用被服とすることができる。
【発明の効果】
【００１７】
本発明に係る係止具付き前当布によれば、布片の上端部の左右にそれぞれ取り付けられている係止具を女性用被服の左右のカップ部の上方部にそれぞれ係止することで左右のカップ部及びその周辺の胸元を布片で覆うことができるから、ブラウスやキャミソールを着用することなく胸元を隠すことができる。
【００１８】
また、本発明に係る係止具付き前当布によれば、女性用被服のカップ部の上端縁に設けられた係止具受け部に係止具を係止することができるから、肩紐のない（又は肩紐を取り外した状態にある）下着への装着が可能な係止具付き前当布とすることができる。
【００１９】
また、本発明に係る係止具付き前当布によれば、女性用被服のカップ部の上端縁に取り付けられた肩紐に係止具を係止することができるから、肩紐のある女性用被服への装着が可能な係止具付き前当布とすることができる。
【００２０】
また、本発明に係る前当布付き女性用被服によれば、カップ部の上端縁にカップ部を覆う前当布が取り付けられているから、ブラウスやキャミソールを着用することなく胸元を隠すことができる。また、前当布の上端部がカップ部の上端縁に取り付けられているから、肩紐のない前当布付き女性用被服とすることができる。
【発明を実施するための最良の形態】
【００２１】
以下、本発明の実施の形態について、図面を参照して説明する。
【００２２】
＜実施の形態１＞
本実施の形態に係る係止具付き前当布について、図１〜図４を参照して以下に説明する。
【００２３】
図１は、本発明の実施の形態１に係る係止具付き前当布を女性用被服に装着される装着面側から見た平面図である。
【００２４】
図２は、図１に示す係止具付き前当布を左右の乳房受けカップ部を有する女性用被服に装着した状態を示す斜視図であり、ブラジャーのカップ部の上端縁に設けられた係止具受け部に係止具を係止して装着した例を示している。なお、図を見易くするため布片の模様は省略している。
【００２５】
図３は、図１に示す係止具付き前当布を左右の乳房受けカップ部を有する他の女性用被服に装着した状態を示す斜視図であり、ブラジャーの肩紐に係止具を係止して装着した例を示している。なお、図を見易くするため布片の模様は省略している。
【００２６】
図４は、図１に示す係止具付き前当布が装着された女性用被服を着用した時の状態を説明する説明図である。なお、図を見易くするため布片の模様は省略している。
【００２７】
本実施の形態に係る係止具付き前当布１０は、女性用被服（ブラジャー２０）を構成する左右の乳房受けカップ部２１，２２を覆う布片１１と、ブラジャー２０に着脱可能に係止される係止具１２，１３とで構成されている。
【００２８】
係止具１２，１３は、布片１１の裏面側（女性用被服に装着される装着面側）の上端部の左右にそれぞれ取り付けられている。つまり、２つの係止具１２，１３をブラジャー２０のカップ部２１，２２の上方部にそれぞれ係止することで、ブラジャー２０のカップ部２１，２２を布片１１で覆うことができる構成とされている。
【００２９】
係止具１２，１３としては、例えば、フック部１２ａ，１３ａと環状部１２ｂ，１３ｂとで形成されたフック状の係止具１２，１３を用いることができる。なお、フック状の係止具１２，１３は、環状部１２ｂ，１３ｂ内に挿通して半折りした所要長さのテープ生地１４，１５を布片１１に縫着することにより取り付けされる。
【００３０】
また、係止具１２，１３は、図２に示すように、ブラジャー２０のカップ部２１，２２の上端縁に設けられた係止具受け部２３，２４に係止される構成とされている。つまり、本実施の形態に係る係止具付き前当布１０は、肩紐のない（肩紐が取り外された状態にある）ブラジャー２０に装着することが可能な構成とされている。なお、フック状の係止具１２，１３が係止されるフック状の係止具受け部２３，２４は、所要長さのテープ生地を半折りし、輪状に形成してカップ部２１，２２の上端縁裏面側に重合、縫着することにより形成される。
【００３１】
また、本実施の形態に係る係止具付き前当布１０の係止具１２，１３は、肩紐の取り外しが可能な従来のブラジャー２０のカップ部２１，２２の上端縁に設けられ肩紐に取り付けられた係止具（不図示）が係止される係止具受け部２３，２４に係止される構成とされている。つまり、本実施の形態に係る係止具付き前当布１０は、肩紐が係止されていた係止具受け部２３，２４に布片１１の上端部に取り付けられた係止具１２，１３を係止させることができる構成とされており、市販されている肩紐の取り外しが可能な従来のブラジャー２０に装着することが可能な構成とされている。
【００３２】
さらに、本実施の形態に係る係止具付き前当布１０の係止具１２，１３は、例えば、図３に示すように、ブラジャー２０のカップ部２１，２２の上端縁に先端が取り付けられた肩紐２５，２６に係止される構成とされている。例えば、本実施の形態に係る係止具付き前当布１０の係止具１２，１３としてフック状の係止具１２，１３を用いると、フック部１２ａ，１３ａを肩紐２５，２６に引っ掛けて係止具１２，１３を肩紐２５，２６に係止させることができる。
【００３３】
このように、本実施の形態に係る係止具付き前当布１０は、肩紐の有無に関係なく女性用被服に装着することができ、また、係止具付き前当布１０を装着した女性用被服（ブラジャー２０）を着用したときに、図４に示すように、女性用被服（ブラジャー２０）のカップ部２１，２２及びその周辺の胸元を布片１１で隠すことができる構成とされており、利便性に優れている。
【００３４】
なお、布片１１としては、レース地やシルク地、あるいはシャーリングなどの加工が施された布等、通常、スーツと下着との間に着用していた被服（キャミソールやインナーシャツ等）を製造する際に使用されている布や、同じく被服を製造する際に行われる加工が施された布を用いることができる。
【００３５】
また、布片１１の形状や大きさは、ボタンを掛けた状態でスーツを着用したときや、襟空きの大きいブラウス等の被服を着用したときに露出する部分及びその周辺部を覆うことができるものとする。
【００３６】
＜実施の形態２＞
図５は、本発明の実施の形態２に係る係止具付き前当布を女性用被服に装着される装着面側から見た平面図である。
【００３７】
図６は、図５に示す係止具付き前当布を左右の乳房受けカップ部を有する女性用被服に装着した状態を示す斜視図であり、ブラジャーの肩紐に係止具を係止して装着した例を示している。なお、図を見易くするため布片の模様は省略している。
【００３８】
本実施の形態に係る係止具付き前当布１０は、実施の形態１に係る係止具付き前当布１０と同様の構成となっている。つまり、女性用被服（ブラジャー２０）を構成する左右の乳房受けカップ部２１，２２を覆う布片１１と、ブラジャー２０に着脱可能に係止される係止具１２，１３，１６とで構成されている。以下、実施の形態１に係る係止具付き前当布１０と異なる点について説明する。
【００３９】
本実施の形態に係る係止具付き前当布１０は、３つの係止具１２，１３，１６を備えており、係止具１２，１３，１６は、布片１１の裏面側（女性用被服に装着される装着面側）の上端部の左右、及び布片１１の裏面側の下端部にそれぞれ取り付けられている。例えば、フック部１２ａ，１３ａ，１６ａと環状部１２ｂ，１３ｂ，１６ｂとで形成されたフック状の係止具１２，１３，１６の環状部１２ｂ，１３ｂ，１６ｂ内に挿通されて半折りにされた所要長さの３つのテープ生地１４，１５，１７が布片１１の裏面側の上端部の左右、及び布片１１の裏面側の下端部中央にそれぞれ縫着されている。
【００４０】
つまり、本実施の形態に係る係止具付き前当布１０は、布片１１の上端部の左右に取り付けられた係止具１２，１３をブラジャー２０の左右のカップ部２１，２２の上方部（肩紐２５，２６）にそれぞれ係止し、さらに、布片１１の下端部に取り付けられた係止具１６をブラジャー２０の下端縁（下端縁に設けられた係止具受け部）に係止する構成とされている。
【００４１】
本実施の形態に係る係止具付き前当布１０では、ブラジャー２０に装着したときに、布片１１の下端部がブラジャー２０の下端縁に固定されるので、布片１１下部のずれが防止される。
【００４２】
なお、図６に示す例では、布片１１の上端部の左右に取り付けられた係止具１２，１３をブラジャー２０のカップ部２１，２２の肩紐２５，２６に係止した例を示しているが、本実施の形態に係る係止具付き前当布１０の布片１１の上端部の左右に取り付けられた係止具１２，１３は、実施の形態１と同様に（図２参照）、ブラジャー２０のカップ部２１，２２の上端縁に設けられた係止具受け部２３，２４に係止することも可能な構成とされている。
【００４３】
＜実施の形態３＞
本実施の形態に係る前当布付き女性用被服（不図示）は、左右の乳房受けカップ部を有する女性用被服に、カップ部を覆う前当布が取り付けられたものである。
【００４４】
前当布は、実施の形態１及び実施の形態２に係る係止具付き前当布と同様の布片で構成されている。
【００４５】
また、前当布（布片）の上端部は、女性用被服を構成する左右のカップ部の上端縁に取り付けられている。例えば、本実施の形態に係る前当布付き女性用被服は、前当布の上端部の左右が女性用被服を構成する左右のカップ部の上端縁にそれぞれ取り付けられたものであってもよいし、前当布の上端部全体（上端縁）が女性用被服を構成する左右のカップ部の上端縁に取り付けられたものであってもよい。
【００４６】
なお、前当布（布片）の取り付け方は、特に限定はされず、例えば、本実施の形態に係る前当布付き女性用被服は、左右の乳房受けカップ部の上端縁に、前当布（布片）の上端部が縫着されたものであってよい。
【００４７】
あるいは、本実施の形態に係る前当布付き女性用被服は、実施の形態１又は実施の形態２に係る係止具付き前当布（図１及び図５参照）が取り付けられたものであってよい。つまり、本実施の形態に係る前当布付き女性用被服は、カップ部の上端縁に設けられた係止具受け部に実施の形態１又は実施の形態２に係る係止具付き前当布の係止具を係止してなるもの（図２参照）であってもよいし、カップ部の上端縁に先端が取り付けられた肩紐に実施の形態１又は実施の形態２に係る係止具付き前当布の係止具を係止してなるもの（図３及び図６参照）であってもよい。
【００４８】
本実施の形態に係る女性用被服を着用すると、実施の形態１又は実施の形態２に係る係止具付き前当布が装着された女性用被服を着用した時（図４参照）と同様に、ブラジャーやブラウスを着用することなく、左右のカップ部及びその周辺の胸元を隠すことができる。
【図面の簡単な説明】
【００４９】
【図１】本発明の実施の形態１に係る係止具付き前当布を女性用被服に装着される装着面側から見た平面図である。
【図２】図１に示す係止具付き前当布を左右の乳房受けカップ部を有する女性用被服に装着した状態を示す斜視図である。
【図３】図１に示す係止具付き前当布を左右の乳房受けカップ部を有する他の女性用被服に装着した状態を示す斜視図ある。
【図４】図１に示す係止具付き前当布が装着された女性用被服を着用した時の状態を説明する説明図である。
【図５】本発明の実施の形態２に係る係止具付き前当布を女性用被服に装着される装着面側から見た平面図である。
【図６】図５に示す係止具付き前当布を左右の乳房受けカップ部を有する女性用被服に装着した状態を示す斜視図ある。
【符号の説明】
【００５０】
１０  係止具付き前当布
１１  布片
１２、１３、１６  係止具
１２ａ、１３ａ、１６ａ  フック部
１２ｂ、１３ｂ、１６ｂ  環状部
１４、１５、１７  テープ生地
２０  ブラジャー（女性用被服）
２１、２２  カップ部
２３、２４  係止具受け部
２５、２６  肩紐
【図１】
2008156783.tif 000003
【図２】
2008156783.tif 000004
【図３】
2008156783.tif 000005
【図４】
2008156783.tif 000006
【図５】
2008156783.tif 000007
【図６】
2008156783.tif 000008